【手続補正書】
【提出日】平成27年9月29日(2015.9.29)
【手続補正１】
【補正対象書類名】特許請求の範囲
【補正対象項目名】全文
【補正方法】変更
【補正の内容】
【特許請求の範囲】
【請求項１】
ロール状のシート状部材を回転可能に保持する供給部を有するプリンター本体と、
前記プリンター本体に対して開閉可能に設けられた開閉カバーと、
前記プリンター本体に設けられ、シート状部材に印字を施すサーマルヘッドと、
前記開閉カバーに設けられ、閉止状態で前記サーマルヘッドと対向する位置に設けられて、前記シート状部材を搬送するプラテンローラーと、
前記プラテンローラーを前記開閉カバーに着脱可能に保持するとともに、前記供給部のロール状のシート状部材を回転可能に案内する断面円弧状の面を有するラベルロール支持部を備えるプラテンローラー保持機構と、を有することを特徴とするプリンター。
【請求項２】
前記ラベルロール支持部は、複数のリブで形成された第１のロール支持部を有することを特徴とする請求項１に記載のプリンター。
【請求項３】
前記開閉カバーの内面には第２のロール支持部が形成され、プラテンローラー保持機構の前記第１のロール支持部と並び、一つの円弧を形成してなることを特徴とする請求項２に記載のプリンター。
【請求項４】
前記プラテンローラー保持機構は、前記プラテンローラーの上流近傍のシート状部材を案内するガイドを有することを特徴とする請求項１ないし３のいずれかに記載のプリンター。
【請求項５】
前記開閉カバーは、前記プラテンローラーの軸を挿脱可能とする挿入口を有し、
前記プラテンローラー保持機構は、前記挿入口を塞ぐプラテンローラー保持部を有することを特徴とする請求項１ないし４のいずれかに記載のプリンター。
【請求項６】
前記開閉カバーは、前記プラテンローラーを回転可能に支持する保持用孔を有し、前記保持孔は、長孔であってプラテンローラーが前記長孔内を移動可能であることを特徴とする請求項５に記載のプリンター。
【請求項７】
前記シート状部材を検出する検出部を有し、前記検出部は、前記プラテンローラー保持機構に取り付けられていることを特徴とする請求項１ないし６のいずれかに記載のプリンター。
【手続補正２】
【補正対象書類名】明細書
【補正対象項目名】０００８
【補正方法】変更
【補正の内容】
【０００８】
本発明は、ロール状のシート状部材を回転可能に保持する供給部を有するプリンター本体と、前記プリンター本体に対して開閉可能に設けられた開閉カバーと、前記プリンター本体に設けられ、シート状部材に印字を施すサーマルヘッドと、
前記開閉カバーに設けられ、閉止状態で前記サーマルヘッドと対向する位置に設けられて、前記シート状部材を搬送するプラテンローラーと、前記プラテンローラーを前記開閉カバーに着脱可能に保持するとともに、前記供給部のロール状のシート状部材を回転可能に案内する断面円弧状の面を有するラベルロール支持部を備えるプラテンローラー保持機構と、を有することを特徴とする。
また、前記シート状部材を検出する検出部を有し、前記検出部は、プラテンローラー保持機構に取り付けられていることを特徴とする。
また、前記ラベルロール支持部は、複数のリブで形成された第１のロール支持部を有することを特徴とする。
また、前記プラテンローラー保持機構は、前記プラテンローラーの上流近傍のシート状部材を案内するガイドを有することを特徴とする。
また、前記開閉カバーは、プラテンローラーの軸を挿脱可能とする挿入口を有し、前記プラテンローラー保持機構は、前記挿入口を塞ぐプラテンローラー保持部を有することを特徴とする。
また、前記開閉カバーは、プラテンローラーを回転可能に支持する保持用孔を有し、前記保持孔は、長孔であってプラテンローラーが前記長孔内を移動可能であることを特徴とする。
また、前記開閉カバーの内面には第２のロール支持部が形成され、プラテンローラー保持機構の前記第１のロール支持部と並び、一つの円弧を形成してなることを特徴とする。
【手続補正３】
【補正対象書類名】明細書
【補正対象項目名】００１４
【補正方法】変更
【補正の内容】
【００１４】
ラベル供給部３は、第一ロール支持部１４と、第二ロール支持部１５と、第三ロール支持部１６とを有し、ロール状のラベル連続体Ｌを回転可能に保持する。第一ロール支持部１４は、その一側面が円弧状に切り欠かれた薄板であり、複数の第一ロール支持部１４が所定の間隔を空けて、前記円弧面がロール状のラベル連続体Ｌ側に向き、かつラベル連続体Ｌの繰出し方向と平行に、プリンターハウジング１０に立設されている。また、第二ロール支持部１５および第三ロール支持部１６は、それぞれの一側面が、後述するプラテンローラー保持機構１７の第四ロール支持部３９と共に一の円弧を形成するように切り欠かれた薄板であり、開閉カバー１２の内面に立設されている。複数の第二ロール支持部１５は、開閉カバー１２の一端側（搬送方向上流側）において、ラベルの幅方向に所定の間隔を空けて、開閉カバー１２が閉状態の際に円弧面がラベル連続体Ｌに向き、かつラベル連続体Ｌの繰出し方向と平行となるように取り付けられている。複数の第三ロール支持部１６は、それぞれ対応する第二ロール支持部１５と同じ列上に、第二ロール支持部１５、第三ロール支持部１６、プラテンローラー保持機構１７の第四ロール支持部３９が一の円弧を描くように開閉カバー１２の他端側（搬送方向下流側）に取り付けられている。これらロール支持部により供給部３内のロール状のラベル連続体Ｌとの接触面積を減らすことで、回転不可なくスムーズにラベル連続体Ｌを移送可能としている。
【手続補正４】
【補正対象書類名】明細書
【補正対象項目名】００１９
【補正方法】変更
【補正の内容】
【００１９】
次に、開閉カバー１２の周辺部をより具体的に説明する。図３は、開閉カバー１２の裏側の斜視図である。開閉カバー１２の内側面には、前述した第二ロール支持部１５と、第三ロール支持部１６と、ネジ孔３０と、プラテンローラー保持用突出片３１と、間隙３２が設けられている。開閉カバー１２の一端には、カバー開閉軸貫通孔１２Ａおよびカバー開閉軸貫通孔１５Ａが設けられ、金属の円柱軸であるカバー開閉軸１１が挿通される。一対のネジ孔３０は、複数の第三ロール支持部１６の下流側に設けられた孔であり、図示しないネジを螺合してプラテンローラー保持機構１７を開閉カバー１２に取り付け固定するようになっている。
これら第二ロール支持部１５および第三ロール支持部１６は、プリンターハウジング１０の第一ロール支持部１４および後述するプラテンローラー保持機構１７の第四ロール支持部３９と共にラベル供給部３に装填されたロール状のラベル連続体Ｌの周面をガイドするロールガイドとして機能する。
また、プラテンローラー保持用突出片３１は、カバー開閉軸１１およびカバー開閉軸貫通孔１２Ａが設けられた側と反対の端の両側面に設けられ、プラテンローラー保持用突出片３１と開閉カバー１２との間には、間隙３２が形成され、後述するプラテンローラー保持機構１７のプラテンローラー保持部３８が嵌るプラテンローラー挿入口３２Ａと、プラテンローラー２３の軸３３が貫通するプラテンローラー保持用孔３２Ｂとを含む。
そして、図７に示すようにプラテンローラー挿入口３２Ａをプラテンローラー保持部３８で塞ぐことにより、長孔形状のプラテンローラー保持用孔３２Ｂとして形成される。
この長孔は、プラテンローラー軸３３の軸径よりも長くなっており、プラテンローラー軸３３は、長孔内で回転自在かつラベル連続体Ｌの移送方向に移動可能となっている。そして、開閉カバー１２を閉状態とするときに、上述したヘッドブラケットのプラテン係合部によって、サーマルヘッド２２とプラテンローラー２３の相対的な位置合わせを行うことができる。すなわち、装置の組み付け誤差があっても長孔内でプラテンローラー３４の位置を調整できるため、組み付け誤差の影響なくーマルヘッド２２とプラテンローラー２３の最適な位置あわせを可能としている。
【手続補正５】
【補正対象書類名】明細書
【補正対象項目名】００２３
【補正方法】変更
【補正の内容】
【００２３】
第二のラベルガイド部３７は、ラベルロール支持部３６の反対面に配された面であり、上述の第一のラベルガイド部１８とで搬送経路の一部を形成している。この第２のラベルガイドには検出部用窓４１が設けられ、第二のラベルガイド部３７およびラベルロール支持部３６は、鋭角状に折り曲げられた折曲部１７Ａを介して互いに一体成形されている。このように鋭角状にすることで、ラベル供給部を円弧状により大きく設けることができるのでロール紙の支持もより安定して行うことができ、また、ラベル連続体Ｌをしごくことができ、かつ第一のラベルガイド部１８と第二のラベルガイド部３７との間隔であるラベル移送路が狭くなるので、ラベル連続体Ｌを印字部により正確に移送することができる。そして検出器が検出部用窓４１の位置に検出器の一部を構成する発光器２０を設け、狭い移送路内でラベル連続体Ｌのばたつきを抑えることができるので、高い精度でラベルの一検出を行うことができる。
【手続補正６】
【補正対象書類名】明細書
【補正対象項目名】００２４
【補正方法】変更
【補正の内容】
【００２４】
一対のプラテンローラー保持部３８は、プラテンローラー保持機構１７の両端に、ラベルロール支持部３６および第二のラベルガイド部３７の間かつ第二のラベルガイド部３７の下部に配置されている。プラテンローラー保持部３８は、プラテンローラー保持機構１７と一体成形されており、湾曲形状に外方に突出した突出片である。その突出片は、プリンター本体２のプラテンローラー挿入口３２Ａに嵌合するようになっている。
【手続補正７】
【補正対象書類名】明細書
【補正対象項目名】００２５
【補正方法】変更
【補正の内容】
【００２５】
図６は、開閉カバー１２にカバー開閉軸１１、プラテンローラー２３、プラテンローラー保持機構１７を取り付けた際の斜視図である。開閉カバー１２の周辺部は以上の構成を有し、一端に備えられたカバー開閉軸貫通孔１２Ａ、１５Ａにカバー開閉軸１１が挿通され、開閉カバー１２はプリンターハウジング１０に対して回動自在となり、開閉カバー１２はプリンターハウジング１０に対して開閉可能となる。反対側の端には、プラテンローラー２３のプラテンローラー本体３４と軸受３５との間にあるプラテンローラー軸３３が、プラテンローラー保持用孔３２Ｂに貫通し、プラテンローラー保持機構１７のプラテンローラー保持部３８がプラテンローラー挿入口３２Ａに嵌合することによって、プラテンローラー挿入口３２Ａが閉じられ、プラテンローラー２３がプラテンローラー保持用孔３２Ｂ内で回転可能に支持される。プラテンローラー保持機構１７のラベルロール支持部３６は、ロール状のラベル連続体Ｌを回転可能に支持し、複数の第四ロール支持部３９は、対応する第二ロール支持部１５および第三ロール支持部１６と並び、一つの円弧を形成し、ラベル連続体Ｌの周囲を直線状で支持することで、面状で支持するよりも摩擦が少なくなり、ラベル連続体Ｌの移送を円滑に行うことができる。
【手続補正８】
【補正対象書類名】明細書
【補正対象項目名】００２７
【補正方法】変更
【補正の内容】
【００２７】
１      サーマルプリンター（実施例１、図１）
２      プリンター本体
３      ラベル供給部
４      ラベル検出部
５      ラベル印字部
６      制御部
１０    プリンターハウジング
１１    カバー開閉軸
１２    開閉カバー
１２Ａ  カバー開閉軸貫通孔
１３    ラベル排出口
１４    第一ロール支持部
１５    第二ロール支持部
１５Ａ  カバー開閉軸貫通孔
１６    第三ロール支持部
１７    プラテンローラー保持機構
１８    第一のラベルガイド部
１９    ラベル移送路
２０    発光器
２１    受光器
２２    サーマルヘッド
２３    プラテンローラー
２４    制御基板
２５    バッテリー
３０    ネジ孔
３１    プラテンローラー保持用突出片
３２    間隙
３２Ａ  プラテンローラー挿入口
３２Ｂ  プラテンローラー保持用孔
３３    プラテンローラー軸
３４    プラテンローラー本体
３５    軸受
３６    ラベルロール支持部
３７    第二のラベルガイド部
３８    プラテンローラー保持部
３９    第四ロール支持部
４０    ネジ貫通孔
４１    検出部用窓